(57)【要約】【課題】引き出しを二以上の引き出し構成体から構成する引き出し装置において、その引き出し及び押し込みを、規則的で且つスムースなものにする。【解決手段】引き出し１を構成する二つの引き出し構成体１’、１’の一方から他方を引き出し可能にして組み合わせている。両引き出し構成体１’、１’を、一方の引き出し構成体１’を引き出し可能に支持するベース２’への回動組み付け部となる支点部３０と、この一方の引き出し構成体１’に対する連係部３１と、前記他方の引き出し構成体１’に対する連係部３２とを備えたアーム体３により連係させてなる。【選択図】図１
2010208477.tif 000002
【特許請求の範囲】
【請求項１】
引き出しを構成する少なくとも二つの引き出し構成体が、一方の引き出し構成体から他方の引き出し構成体を引き出し可能にして組み合わされていると共に、
両引き出し構成体が、一方の引き出し構成体を引き出し可能に支持するベースへの回動組み付け部となる支点部と、この一方の引き出し構成体に対する連係部と、前記他方の引き出し構成体に対する連係部とを備えたアーム体により連係されていることを特徴とする引き出し装置。
【請求項２】
引き出しを構成する少なくとも二つの引き出し構成体が、一方の引き出し構成体から他方の引き出し構成体を引き出し可能にして組み合わされていると共に、
一方の引き出し構成体を引き出し可能に支持するベースと他方の引き出し構成体とは、このベースへの回動組み付け部となる第一支点部と、他方の引き出し構成体への回動組み付け部となる第二支点部とを備えると共に、両支点部間の距離を伸縮可能とするアーム体により連係されており、
このアーム体と一方の引き出し構成体とは、一方の引き出し構成体に備えられた引き出しの引き出し方向に交叉する向きに延びるガイド溝に、前記両支点部間に設けられると共に第一支点部からの距離を一定とする被ガイド部を納めて連係されていることを特徴とする引き出し装置。
【請求項３】
第一支点部及び第二支点部が、凹球面状の受け面を備えた雌部と、この雌部の受け面にはめ込まれる凸球面状の被受け面を備えた雄部とからなる球面軸受におけるこの雌部又は雄部により構成されていることを特徴とする請求項２に記載の引き出し装置。
【発明の詳細な説明】
【技術分野】
【０００１】
この発明は、引き出し装置の改良に関する。
【背景技術】
【０００２】
引き出し（特許文献１では灰皿）の引き出し量を大きく確保しながら押し込み時の引き出しの収納寸法をできるだけ小さくさせる観点から、引き出しを多段状に構成させたものがある。（特許文献１参照）この特許文献１のものにあっては、引き出しは、アウタケースとインナケースとをスライド移動可能に組み合わせて構成されている。アウタケースの側面部には前後方向に延びる長穴が形成されており、インナケースの側部にはこの長穴に納まるストッパが設けられている。この特許文献１のものでは、引き出し時は、アウタケースが先に引き出されストッパが長穴の後端に至った段階から次いでインナケースが引き出されることとされる。また、押し込み時は、アウタケースが先ず押し込まれストッパが長穴の前端に至った段階から次いでインナケースが押し込まれることとされる。しかし、現実には、この特許文献１のような構成では、こうした引き出し・押し込み時の規則性は、インナケースとアウタケースとの間の摺動抵抗、およびインナケースと支持具との間の摺動抵抗に大きく影響され、こうした摺動抵抗の管理ないしセッティングが不十分であると、所期の動作を実現させることはできない。また、かかる規則性を明確に付与させようとすると、例えば、インナケースと支持具との間の摺動抵抗が過大になり過ぎるなどして、引き出し操作や押し込み操作を円滑に行えなくさせてしまう。
【先行技術文献】
【特許文献】
【０００３】
【特許文献１】実公昭６０−３１５１６号公報
【発明の概要】
【発明が解決しようとする課題】
【０００４】
この発明が解決しようとする主たる問題点は、引き出しを二以上の引き出し構成体から構成する引き出し装置において、その引き出し及び押し込みを、簡素な構造をもって規則的で且つスムースなものにする点にある。
【課題を解決するための手段】
【０００５】
前記課題を達成するために、この発明にあっては、引き出し装置を、引き出しを構成する少なくとも二つの引き出し構成体が、一方の引き出し構成体から他方の引き出し構成体を引き出し可能にして組み合わされていると共に、
両引き出し構成体を、一方の引き出し構成体を引き出し可能に支持するベースへの回動組み付け部となる支点部と、この一方の引き出し構成体に対する連係部と、前記他方の引き出し構成体に対する連係部とを備えたアーム体により連係させてなるものとした。
【０００６】
最良の一つの構成態様としては、前記一方の引き出し構成体を引き出し可能に支持するベースと他方の引き出し構成体とを、このベースへの回動組み付け部となる第一支点部と、他方の引き出し構成体への回動組み付け部となる第二支点部とを備えると共に、両支点部間の距離を伸縮可能とするアーム体により連係させ、さらに、このアーム体と一方の引き出し構成体とを、一方の引き出し構成体に備えられた引き出しの引き出し方向に交叉する向きに延びるガイド溝に、前記両支点部間に設けられると共に第一支点部からの距離を一定とする被ガイド部を納めて連係させる。
【０００７】
押し込まれている引き出しを引き出し操作すると、これに伴ってアーム体も回動される。一方の引き出し構成体と他方の引き出し構成体とはこのように回動されるアーム体により連係されていることから、両引き出し構成体の引き出し方向への移動はアーム体により規制され規則的になされる。また、この規則的な移動はアーム体により実現されることから、この移動はできるだけ抵抗少なくスムースになされるようにすることができる。すなわち、両引き出し構成体間の摺動抵抗や一方の引き出し構成体とベースとの間の摺動抵抗が過大とならないようにすることができる。したがってまた、両引き出し構成体の押し込み方向への移動も規則的かつ抵抗少なくスムースになさしめることができる。また、他方の引き出し構成体は支点部を中心として回動されるアーム体の連係部をもってアーム体に連係されていることから、一方の引き出し構成体の移動量に比し他方の引き出し構成体の移動量が、引き出しの引き出し時にも押し込み時にも常に大きくなるように引き出しの移動を制御することができる。
【０００８】
また、前記各引き出し装置において、第一支点部及び第二支点部を、凹球面状の受け面を備えた雌部と、この雌部の受け面にはめ込まれる凸球面状の被受け面を備えた雄部とからなる球面軸受におけるこの雌部又は雄部により構成させておくこともある。このようにした場合、引き出しの移動中心線を、仮想の円の円弧に沿わせるようにした態様で、各引き出し構成体をスムースに移動させることができる。
【発明の効果】
【０００９】
この発明によれば、前記アーム体によって、引き出しを構成する二以上の引き出し構成体の引き出し及び押し込みを、簡素な構造をもって規則的で且つスムースなものとすることができる。
【図面の簡単な説明】
【００１０】
【図１】図１はこの発明を適用して構成された引き出し装置の基本構造を模式的に表した平面構成図であり、図１（ａ）→（ｂ）→（ｃ）の順で引き出しは引き出され、図１（ｃ）→（ｂ）→（ａ）の順で引き出しは押し込まれる。
【図２】図２はこの発明を適用して構成されたドリンクホルダーの斜視図であり、引き出しが押し込みきられている状態を示している。
【図３】図３は図２の状態にあるドリンクホルダーを下方から視て示すと共に、取り付け相手方となるパネルを想像線で示した底面図である。
【図４】図４はこの発明を適用して構成されたドリンクホルダーの斜視図であり、引き出しが途中まで引き出された状態を示している。
【図５】図５は図４の状態にあるドリンクホルダーを下方から視て示すと共に、取り付け相手方となるパネルを想像線で示した底面図である。
【図６】図６はこの発明を適用して構成されたドリンクホルダーの斜視図であり、引き出しが引き出しきられた状態を示している。
【図７】図７は図６の状態にあるドリンクホルダーを下方から視て示すと共に、取り付け相手方となるパネルを想像線で示した底面図である。
【図８】図８は図６の状態にあるドリンクホルダーを下方から視て示した斜視図である。
【図９】図９は図８におけるＡ−Ａ線位置での断面図である。
【図１０】図１０はドリンクホルダーを構成する本体、一段目トレイおよび二段目トレイ側と、アーム体とを分離させて、これらを下方から視て示した斜視図である。
【図１１】図１１はドリンクホルダーを構成する各部品を分離して示した斜視図である。
【図１２】図１２はアーム体を示した平面図である。
【発明を実施するための形態】
【００１１】
以下、図１〜図１２に基づいて、この発明の典型的な実施の形態について、説明する。
図１はこの発明を適用して構成される引き出し装置の基本構造を模式的に示している。先ず、この図１に基づいて、かかる引き出し装置の概要について説明する。図示の引き出し装置は、自動車、航空機、鉄道車両、船舶などの内装品として用いるのに特に適した構造を備えている。
【００１２】
かかる引き出し装置は、これを構成する引き出し１を、少なくとも二つの引き出し構成体１’、１’から構成させる。図１の例では、かかる引き出し１は、二つの引き出し構成体１’、１’から構成されている。引き出し１は、本体２から引き出し可能にこの本体２に収容され、また、引き出された引き出し１は本体２に押し込み可能となっている。図１の例では、二つの引き出し構成体１’、１’はさらに、一方の引き出し構成体１’に対し他方の引き出し構成体１’を引き出し可能に納めて組み合わされている。すなわち、二つの引き出し構成体１’、１’からなる引き出し１は、全体として前記本体２に引き出し・押し込み可能に組み合わされていると共に、他方の引き出し構成体１’はさらに前記一方の引き出し構成体１’に引き出し・押し込み可能に組み合わされている。図１および図２〜図１２の例では、かかる引き出し構成体１’はトレイ状に構成されていることから、以下では、かかる一方の引き出し構成体１’を一段目トレイ１０と、他方の引き出し構成体１’を二段目トレイ１１とも便宜的に称することとする。図１および図２〜図１２の例では、二段目トレイ１１に円形の保持穴１１ａが形成されており、これらの例では引き出し１を引き出し１た状態において、この保持穴１１ａにカップや飲料容器などを上方から入れ込みこれらのカップなどの側部を二段目トレイ１１により支持してかかるカップなどを倒れないように支持できるようになっている。すなわち、図１および図２〜図１２の例では、かかる引き出し装置は、ドリンクホルダーとして機能するものとなっている。かかる引き出し装置は、一段目トレイ１０及び二段目トレイ１１の形状や構造を適宜変更することで、様々な具体の用途に対応した装置として利用可能である。例えば、一段目トレイ１０及び二段目トレイ１１の双方又はいずれか一方に上面開口の収納部を形成させれば、かかる引き出し装置は物入れやアッシュトレイなどとして利用することができる。
【００１３】
また、図１および図２〜図１２の例では、かかる引き出し装置は、一段目トレイ１０と二段目トレイ１１とを、アーム体３により連係させている。かかるアーム体３は、一方の引き出し構成体１’（一段目トレイ１０）を引き出し可能に支持するベース２’（図示の例では前記本体２）への回動組み付け部となる支点部３０と、この一方の引き出し構成体１’（一段目トレイ１０）に対する連係部３１と、前記他方の引き出し構成体１’（二段目トレイ１１）に対する連係部３２とを備えている。
【００１４】
図示の例では、アーム体３は、本体２の内奥部２ａであってこの本体２の右側に、前記支点部３０となる第一支点部３０ａをもって、その一端部、図示の例ではその右端部を回動可能に組み付けている。図示の例では、この第一支点部３０ａは、後述する球面軸受４の雌部４０により構成されている。また、図示の例では、アーム体３は、二段目トレイ１１の後端部１１ｂであってこの二段目トレイ１１の左側に、前記連係部３２となる第二支点部３２ａをもって、その他端部、図示の例ではその左端部を回動可能に組み付けている。図示の例では、この第二支点部３２ａも、後述する球面軸受４の雌部４０により構成されている。
【００１５】
また、図示の例では、アーム体３は、前記第一支点部３０ａと第二支点部３２ａとの間において、前記連係部３１となる被ガイド部３１ａを、一段目トレイ１０の後端部１０ａに形成されたガイド溝１０ｂに納めることで、この一段目トレイ１０に組み合わされている。このガイド溝１０ｂは、引き出し１の引き出し方向ｘに交叉する向き、図示の例では直交する向きに延び、このガイド溝１０ｂに納められた前記被ガイド部３１ａを案内する。
【００１６】
また、図示の例では、前記アーム体３は、ベースアーム３３と延長アーム３４とを、ベースアーム３３の中心軸線と延長アーム３４の中心軸線とが同一の仮想の直線Ｌ１上に略位置され、かつ、延長アーム３４がこの仮想の直線Ｌ１に沿う向きにスライド移動されるように組み合わせて構成されている。すなわち、図示の例では、アーム体３は、伸縮可能に構成されている。そして、図示の例では、前記第一支点部３０ａと被ガイド部３１ａとがベースアーム３３に備えられ、かつ、前記第二支点部３２ａが延長アーム３４に備えられており、第一支点部３０ａと第二支点部３２ａとの間の距離は可変するが、第一支点部３０ａと被ガイド部３１ａとの間の距離は一定に保たれるようになっている。
【００１７】
押し込まれている引き出し１を引き出し操作すると、これに伴ってアーム体３も回動される。図示の例では、アーム体３は、引き出し１を押し込みきった状態において、第一支点部３０ａよりもやや前方に第二支点部３２ａを位置させるように位置され、かつ、両支点部３０ａ、３２ａ間の距離を最小にしている。（図１（ａ））この状態から引き出し１を引き出し操作するとアーム体３は第二支点部３２ａを前方に向ける向きに回動され、引き出し１の引き出し量が大きくなればなるほど第二支点部３２ａは第一支点部３０ａから離れて前方に移動する。一方の引き出し構成体１’（一段目トレイ１０）と他方の引き出し構成体１’（二段目トレイ１１）とはこのように回動されるアーム体３により連係されていることから、両引き出し構成体１’、１’の引き出し方向ｘへの移動はアーム体３により規制され規則的になされる。また、この規則的な移動はアーム体３により実現されることから、この移動はできるだけ抵抗少なくスムースになされるようにすることができる。したがってまた、両引き出し構成体１’、１’の押し込み方向ｘ’への移動も規則的かつ抵抗少なくスムースになさしめることができる。また、他方の引き出し構成体１’（二段目トレイ１１）は支点部３０（第一支点部３０ａ）を中心として回動されるアーム体３の連係部３１（第二支点部３２ａ）をもってアーム体３に連係されていることから、一方の引き出し構成体１’（一段目トレイ１０）の移動量に比し他方の引き出し構成体１’（二段目トレイ１１）の移動量が、引き出し１の引き出し時にも押し込み時にも常に大きくなるように引き出し１の移動を制御することができる。
【００１８】
アーム体３を引き出し１の移動時に伸縮を生じるように構成させない場合には、二段目トレイ１１に前記ガイド溝１０ｂと同様のガイド溝（図示は省略する。）を形成させ、前記第二支点部３２ａをこのように形成された図示しないガイド溝に納まる被ガイド部（図示は省略する。）として構成させる。
【００１９】
また、図示の例では引き出し１を一段目トレイ１０と二段目トレイ１１として構成させたが、三段以上のトレイから引き出し１を構成させることもできる。また、図示の例では前記ベース２’は本体２であるが、このベース２’も図示しない本体から引き出される引き出し構成体１’として構成させておくこともできる。このようにした場合、典型的には図示しない本体からベース２’が引き出されきった後に、一段目トレイ１０及び二段目トレイ１１の移動が開始されることとなる。
【００２０】
次いで、図２〜図１２はこの発明を適用して構成された引き出し装置の具体例の一つを示している。
【００２１】
この図２〜図１２に示される引き出し装置にあっては、前記第一支点部３０ａ及び第二支点部３２ａは、凹球面状の受け面４０ａを備えた雌部４０と、この雌部４０の受け面４０ａにはめ込まれる凸球面状の被受け面４１ａを備えた雄部４１とからなる球面軸受４におけるこの雌部４０により構成されている。前記第一支点部３０ａ及び第二支点部３２ａは、前記雄部４１から構成させておくこともでき、この場合には、本体２及び二段目トレイ１１に雌部４０が設けられることとなる。これにより、この図２〜図１２に示される引き出し装置にあっては、引き出し１の移動中心線ｙを、仮想の円の円弧ｒに沿わせるようにした態様で、（図６）各引き出し構成体１’をスムースに移動させることができるようになっている。
【００２２】
この図２〜図１２に示される引き出し装置にあっては、一段目トレイ１０を支持するベース２’は引き出し１を納める箱状をなす本体２として構成されている。かかる本体２は、左右方向に長い扁平な前面開口２ｂを有し、この開口２ｂから引き出し１が前方に引き出されるようになっている。かかる本体２の開口２ｂは鍔部２ｃで縁取られており、この例にあっては、自動車のインストルメントパネルの内方にこの鍔部２ｃを利用して引き出し装置を備え付けることができるようにしてある。（図３、図５及び図７中、符号Ｐはインストルメントパネルを構成するパネルＰを示している。）かかる本体２は、幅広の上面部２ｄと、幅狭の左右両側面部２ｅ、２ｅを有する。本体２の下面部２ｆは、本体２の前半分においてのみ形成され、後半分においては本体２の下方は開放されている。この例にあっては、本体２の内奥部２ａであって、この本体２の左側端に、前記上面部２ｄから下方に突き出すように球面軸受４の雄部４１が形成されている。かかる雄部４１は、球状の頭部４１ｂと首部４１ｃとを備え、首部４１ｃを前記上面部２ｄ側に一体に連接させている。この球状の頭部４１ｂの外面が前記被受け面４１ａとして機能するようになっている。
【００２３】
また、この図２〜図１２に示される引き出し装置にあっては、一段目トレイ１０は、前記本体２の左右両側面部２ｅ、２ｅの内面間に納まる幅を備えた板状のトレイ主体１０ｃと、このトレイ主体１０ｃの左右にそれぞれこのトレイ主体１０ｃから下方に突き出すように形成された側板部１０ｄとを備えている。一段目トレイ１０は前記仮想の円の円弧ｒに倣って全体として湾曲されている。かかる一段目トレイ１０は、その側板部１０ｄを本体２の側面部２ｅに案内されて、本体２に引き出し可能に納められている。この一段目トレイ１０の後端部１０ａ側には、上方に突き出すトレイ主体１０ｃに抜け止め部１０ｅが形成されており、本体２の前記開口２ｂ側に形成された図示しない当接箇所にこの抜け止め部１０ｅが突き当たる位置まで一段目トレイ１０は本体２内から引き出すことができるようになっている。また、この一段目トレイ１０の後端部１０ａには、その左右方向中程の位置に、後方に突き出す舌片部１０ｆが形成されていると共に、この舌片部１０ｆにこの舌片部１０ｆを上下に貫通するようにして前記ガイド溝１０ｂが形成されている。この例では、アーム体３のベースアーム３３に形成された被ガイド部３１ａとなる軸状摺動子３１ｂが下方からこのガイド溝１０ｂに入れ込まれるようになっている。またこの例では、かかる軸状摺動子３１ｂのガイド溝１０ｂから突き出される上端を納める凹所２ｇが本体２の上面部２ｄに形成されている。また、この例では、かかる一段目トレイ１０のトレイ主体１０ｃの前側には、後述の二段目トレイ１１に形成させた円形の保持穴１１ａの後半分の穴縁形状に倣った半円弧状の切り欠き部１０ｇが形成されており、引き出し１が引き出されきった状態において、二段目トレイ１１の前記保持穴１１ａの後半分の穴縁と切り欠き部１０ｇの縁部とが上下に略重なり合うようになっている。（図６）
【００２４】
また、この図２〜図１２に示される引き出し装置にあっては、二段目トレイ１１は、一段目トレイ１０の左右両側板部１０ｄ、１０ｄの内面間に納まる幅を備えた板状のトレイ主体１１ｃと、このトレイ主体１１ｃの前端部に連接された蓋板部１１ｄとを備えている。トレイ主体１１ｃは、その左右両縁部をそれぞれ、一段目トレイ１０の側板部１０ｄに形成された前後方向に亘る案内溝１０ｈに納めて一段目トレイ１０のトレイ主体１０ｃ下に引き出し可能に納まるようになっている。この例では、引き出し１を本体２内に押し込みきるとこの蓋板部１１ｄが本体２の開口２ｂを前方から塞ぐようになっている。また、この蓋板部１１ｄの下部に手指を引っかけることで、本体２内から引き出し１を引き出し操作できるようになっている。この二段目トレイ１１も前記仮想の円の円弧ｒに倣って全体として湾曲されている。この二段目トレイ１１のトレイ主体１１ｃに前記保持穴１１ａが形成されている。また、この二段目トレイ１１の後端部１１ｂ側にはそのトレイ主体１１ｃに、一段目トレイ１０のトレイ主体１０ｃの下面に圧接される弾性部１１ｅが形成されており、この弾性部１１ｅにより二段目トレイ１１のガタつきを防止するようになっている。また、この例では、二段目トレイ１１の下側に保持穴１１ａに保持されるカップなどの底部支持体１１ｆが配されるようになっている。かかる底部支持体１１ｆは、一対の腕部１１ｇ、１１ｇの後端間を横棒部１１ｈで連接させると共に、この一対の腕部１１ｇ、１１ｇの前端間に支持板１１ｉを架設させてなる。底部支持体１１ｆの横棒部１１ｈの左右両端にはそれぞれ軸凸部１１ｊが形成されており、底部支持体１１ｆは二段目トレイ１１の後端部１１ｂ側において二段目トレイ１１の左右に形成された軸受け部１１ｋにこの軸凸部１１ｊを回動可能に組み合わせて、上下動可能に二段目トレイ１１の下方において支持されている。この例では、本体２に引き出し１が押し込まれている状態においては、本体２の下面部２ｆに底部支持体１１ｆが下方から支持されて、この底部支持体１１ｆは二段目トレイ１１のトレイ主体１１ｃに近接した折り畳み状態にある。本体２から引き出し１を引き出すと本体２の下面部２ｆによる底部支持体１１ｆの支持が解かれ、底部支持体１１ｆは自重により支持板１１ｉ側を所定位置まで下降させ、前記保持穴１１ａに上方から入れ込まれたカップなどの底部を支えるように位置づけられる。（図６）引き出し１を押し込むと、再び本体２の下面部２ｆによって底部支持体１１ｆは上方に回動され、押し込み終了位置において前記のように折り畳まれるようになっている。この例にあっては、この底部支持体１１ｆの横棒部１１ｈの右端に上方に突き出すように球面軸受４の雄部４１が形成されている。かかる雄部４１も、球状の頭部４１ｂと首部４１ｃとを備え、首部４１ｃを前記横棒部１１ｈに一体に連接させている。そして、この球状の頭部４１ｂの外面が前記被受け面４１ａとして機能するようになっている。
【００２５】
また、この図２〜図１２に示される引き出し装置にあっては、アーム体３は、シリンダ状をなすベースアーム３３内に、ロッド状をなす延長アーム３４を、抜き差し可能に収め入れることで、伸縮可能に構成されている。延長アーム３４は、その一端側に前記第二支点部３２ａとなる球面軸受４の雌部４０を有する頭部３４ａを備えている。かかる雌部４０は前記雄部４１の球状頭部４１ｂがはめ込まれる凹部４０ｂを有すると共に、この凹部４０ｂ内面を凹球面状の受け面４０ａとして機能させるようになっている。また、図示の例では、延長アーム３４の他端側には、Ｏリング３４ｂがはめ付けられるようになっている。これにより、アーム体３の伸縮時にアーム体３をピストンダンパー的に機能させて引き出し１の引き出し及び押し込みに適度な抵抗感を付与させることができるようになっている。延長アーム３４はこの他端側から、ベースアーム３３内に差し込まれるようになっている。ベースアーム３３における延長アーム３４の差し込み側に位置されるシリンダ一端部３３ｂには、ベースアーム３３の中心軸線に直交する向きに突き出すブラケット部３３ａが形成されていると共に、このブラケット部３３ａに下端を連接させて上方に突き出す軸状摺動子３１ｂが備えられている。また、ベースアーム３３のシリンダ他端３３ｃには、前記第一支点部３０ａとなる球面軸受４の雌部４０が形成されている。かかる雌部４０は前記雄部４１の球状頭部４１ｂがはめ込まれる凹部４０ｂを有すると共に、この凹部４０ｂ内面が凹球面状の受け面４０ａとして機能するようになっている。
【００２６】
この図２〜図１２に示される引き出し装置にあっては、引き出し１が押し込みきられた状態においては、第一支点部３０ａを通る引き出し１の引き出し方向ｘに直交する仮想の線分ｚに対してそのやや前方に第二支点部３２ａは位置され、また、このときはガイド溝１０ｂの右端（図３では左端）に被ガイド部３１ａは位置され、延長アーム３４のベースアーム３３内からの抜き出し寸法は最小となっている。（図３）この状態から引き出し１を引き出し操作すると、アーム体３は第一支点部３０ａを回動中心として第二支点部３２ａを前方に向ける向きに回動され、この回動により被ガイド部３１ａはガイド溝１０ｂの左端（図３では右端）側に移動され、この被ガイド部３１ａがガイド溝１０ｂの左端に突き当たる位置までの一段目トレイ１０の引き出しが許容される。また、かかるアーム体３の回動により、ベースアーム３３のシリンダ一端部３３ｂと第二支点部３２ａとの間の距離が徐々に拡がることから、ベースアーム３３内からの延長アーム３４の抜き出し寸法を漸増させながら前記のように引き出される一段目トレイ１０内からの前方に向けた二段目トレイ１１の引き出しが一段目トレイ１０の引き出しが停止されるまでの間で許容される。
【００２７】
以上に説明した引き出し装置に適宜の付勢手段を追加して、典型的には、前記引き出し１が引き出し方向ｘに常時付勢されるように構成させることもできる。このようにした場合、適宜のラッチ装置を設けて押し込み状態にある引き出し１のその状態をこのラッチ装置による保持を解かない限り維持されるようにしておけば、この保持を解く操作をすることで強制的に引き出し１が引き出されるようにすることができる。また、このようにした場合、前記のようにピストンダンパー的に機能させるアーム体３の抵抗により引き出し１の前記付勢手段による移動が突飛なものとならないようにすることができる。
【符号の説明】
【００２８】
１  引き出し
１’  引き出し構成体
２’  ベース
３  アーム体
３０  支点部
３１  連係部
３２  連係部
【図１】
2010208477.tif 000003
【図２】
2010208477.tif 000004
【図３】
2010208477.tif 000005
【図４】
2010208477.tif 000006
【図５】
2010208477.tif 000007
【図６】
2010208477.tif 000008
【図７】
2010208477.tif 000009
【図８】
2010208477.tif 000010
【図９】
2010208477.tif 000011
【図１０】
2010208477.tif 000012
【図１１】
2010208477.tif 000013
【図１２】
2010208477.tif 000014